(57)【要約】【課題】信号線用コンタクトに隣接した接地用コンタクト間の電位を同一にし、隣接する信号線用コンタクト間のクロストークを低減するようにした高速デファレンシャル信号用コネクタとしてのカードエッジコネクタを提供する。【解決手段】複数の信号線用コンタクト及び複数の接地用コンタクトが、互いに平行に、少なくとも１列に配列される雌コネクタとしてのカードエッジコネクタにおいて、前記信号線コンタクトと前記接地用コンタクトは、高速信号が往復する２つの信号線用コンタクトを２つの接地用コンタクトで挟むように配列されるとともに、１列に配列された前記複数の接地用コンタクトは全て、コモンコンタクトにより電気的に接続されている。【選択図】図１
2011159465.tif 000002
【特許請求の範囲】
【請求項１】
複数の信号線用コンタクト及び複数の接地用コンタクトが、互いに平行に、少なくとも１列に配列される雌コネクタとしてのカードエッジコネクタにおいて、
前記信号線コンタクトと前記接地用コンタクトは、高速信号が往復する２つの信号線用コンタクトを２つの接地用コンタクトで挟むように配列され、
１列に配列された前記複数の接地用コンタクトが全て、コモンコンタクトにより電気的に接続されていることを特徴とするカードエッジコネクタ。
【請求項２】
前記コモンコンタクトは複数用意され、該コモンコンタクトそれぞれは、前記２つの信号線を挟む２つの接地用コンタクトを電気的に接続するように構成されていることを特徴とする請求項１に記載のカードエッジコネクタ。
【請求項３】
前記コモンコンタクトは、同時に複数の接地用コンタクトを電気的に接続し得るように構成されていることを特徴とする請求項１に記載のカードエッジコネクタ。
【請求項４】
さらに、コモンコンタクトを保持するホルダを備えていることを特徴とする請求項３に記載のカードエッジコネクタ。
【請求項５】
前記信号線用コンタクト及び前記接地用コンタクトは、ホルダが装着され得るホルダ収容凹部を有するように構成されていることを特徴とする請求項４に記載のカードエッジコネクタ。
【請求項６】
コモンコンタクトは、金属薄板から形成されることを特徴とする請求項１ないし５のいずれかに記載のカードエッジコネクタ。
【発明の詳細な説明】
【技術分野】
【０００１】
本発明は、プリント配線板などに設けられた雌側コネクタであるカードエッジコネクタに関し、特に、クロストーク低減構造を備えたカードエッジコネクタに関する。
【背景技術】
【０００２】
従来、例えば、特許文献１に示されるように、一方に雄コネクタとしてのプラグコネクタを設け、他方に雌コネクタとしてのカードエッジコネクタを設けてプリント配線板同士を電気的に接続することはよく知られている。
【０００３】
このようなコネクタにおいては、クロストークを抑制するために、コンタクトの配置がコプレナ構造であって、接地用コンタクト（Ｇ）が往復の信号用コンタクト（Ｓ）を挟む配置、すなわち、Ｇ−Ｓ−Ｓ−Ｇ配置にすることが好ましいとされている。
【先行技術文献】
【特許文献】
【０００４】
【特許文献１】特開２００７−１４９６４３号公報
【発明の概要】
【発明が解決しようとする課題】
【０００５】
しかしながら、近年、信号伝送が高速化されることにより、隣接信号間のクロストークがより問題となってきている。特に、高速伝送ではより高い周波数領域までわずかなクロストーク量に抑える必要がある。
【０００６】
デファレンシャル信号を伝送するコネクタは、上述したように、Ｇ−Ｓ−Ｓ−Ｇ配置のように２つの信号線用コンタクトの両側に、接地用コンタクトを配置する構造が一般的である。そして、２つの信号線用コンタクトの組が隣接する場合、Ｇ−Ｓ−Ｓ−Ｇ−Ｓ−Ｓ−Ｇ配置のように２つの信号線用コンタクトは、１つの共通の接地用コンタクトによってのみ隔てられている。
【０００７】
プリント配線板上に配線される接地線は、プリント配線板内部の接地用コモンプレーンなどで相互接続されており、電位も同じになるように構成されている。ところが、コネクタ内部における複数のコンタクトそれぞれが両端でのみプリント配線板に接続されている場合、接地用コンタクトは、プリント配線板内部に設けられている接地用コモンプレーンとの距離を置いて配置されることになる。したがって、各接地用コンタクトは、互いに異なる電位をもってしまうとともに、各接地用コンタクトのもつ電位は、プリント配線板上の接地線の電位とも異なる電位をもつことになる。それにより、各接地用コンタクトは、数ＧＨｚの周波数成分を持つ高周波信号に対するシールド効果が低下してしまうことになる。結果として、隣接信号線用コンタクトあるいは１つ離れた信号線用コンタクト間とのクロストークが増大してしまうという問題が発生する恐れが生じている。
【０００８】
本願発明の目的は、このような問題点に鑑み、信号線用コンタクトに隣接した接地用コンタクト間の電位を同一にし、隣接する信号線用コンタクト間のクロストークを低減するようにした高速デファレンシャル信号用コネクタとしてのカードエッジコネクタを提供することにある。
【課題を解決するための手段】
【０００９】
上記目的を達成するため、本願発明に係るカードエッジコネクタは、複数の信号線用コンタクト及び複数の接地用コンタクトが、互いに平行に、少なくとも１列に配列される雌コネクタとしてのカードエッジコネクタにおいて、前記信号線コンタクトと前記接地用コンタクトは、高速信号が往復する２つの信号線用コンタクトを２つの接地用コンタクトで挟むように配列されるとともに、１列に配列された前記複数の接地用コンタクトが全て、コモンコンタクトにより電気的に接続されていることを特徴とする。
【００１０】
また、コモンコンタクトは、複数用意され、コモンコンタクトそれぞれが２つの信号線を挟む２つの接地用コンタクトを電気的に接続するように構成されていてもよいし、同時に複数の接地用コンタクトを電気的に接続し得るように構成されていてもよい。
【００１１】
さらに、コモンコンタクトが、同時に複数の接地用コンタクトを電気的に接続し得るように構成されている場合、コモンコンタクトを保持するホルダを備えることが好ましい。
【発明の効果】
【００１２】
本願発明は、このようにコモンコンタクトで全ての接地用コンタクトを電気的に接続することにより、プリント配線板間をつなぐ接地用コンタクトが全て同じ電位に保持され得る。それにより、シールド効果が従来装置よりも優れて接地用コンタクトを挟んで配置されている信号線用コンタクトを通る信号間のクロストークを低減することが可能となり、さらには、信号線用コンタクトを通る信号によるノイズの発生も抑制し得る。
また、コモンコンタクトは、簡単な構造で、組み立てが容易であり、複数の接地用コンタクトを確実に連結し、電気的に接続することが可能となるとともに、製造に際し、材料を無駄にすることもない。
【図面の簡単な説明】
【００１３】
【図１】本願発明の第１の実施例に係るカードエッジコネクタを備えたプリント配線基板とプラグコネクタを備えたプリント配線基板の接続機構を前方右斜め上から見た斜視図である。
【図２】図１に示される接続機構の断面図であり、（ａ）は、プラグコネクタがカードエッジコネクタに挿入される直前の状態を示す断面図であり、（ｂ）は、プラグコネクタが挿入され、電気的接続が完了した状態を示す断面図である。
【図３】カードエッジコネクタへのコンタクトの組立を説明するための図であって、図１に示されるカードエッジコネクタに信号用コンタクトが組み込まれる状態を示す、カードエッジコネクタを後方右斜め上から見た部分斜視図である。
【図４】図３の状態に続いて、カードエッジコネクタに接地用コンタクトが組み込まれる状態を示す、カードエッジコネクタを後方右斜め上から見た部分斜視図である。
【図５】図４の状態に続いて、組立が完了し、接地用コンタクトがコモンコンタクトにより接続された状態を示す、カードエッジコネクタを後方右斜め上から見た部分斜視図である。
【図６】第１の実施例のコモンコンタクトの詳細を示す図であり、（ａ）は、該コモンコンタクトの前方右斜め上から見た斜視図であり、（ｂ）は、接地用コンタクトがコモンコンタクトにより連結された状態を詳細に示す前方右斜め上から見た部分斜視図である。
【図７】第１の実施例に係るカードエッジコネクタの断面図であって、信号線用コンタクトが配置されるスリットに沿って上下方向に切断した断面図である。
【図８】本願発明の第２の実施例に係るカードエッジコネクタを後方右斜め上から見た斜視図である。
【図９】カードエッジコネクタへのコンタクトの組立を説明するための図であって、図８に示されるカードエッジコネクタに接地用コンタクトが組み込まれる状態を示す、カードエッジコネクタを後方右斜め上から見た部分斜視図である。
【図１０】カードエッジコネクタへのコンタクトの組立を説明するための図であって、図９の状態に続いて、カードエッジコネクタに信号用コンタクトが組み込まれる状態を示す、カードエッジコネクタを後方右斜め上から見た部分斜視図である。
【図１１】カードエッジコネクタへのコンタクトの組立を説明するための図であって、図１０の状態に続いて、接地用コンタクトがコモンコンタクトにより接続された状態を示す、カードエッジコネクタを後方右斜め上から見た部分斜視図である。
【図１２】第２の実施例のコモンコンタクト及びホルダの詳細を示す前方右斜め上から見た部分斜視図である。
【図１３】図１２のコモンコンタクトにより接地用コンタクトが接続された状態を詳細に示す部分斜視図である。
【図１４】第２の実施例に係るカードエッジコネクタの断面図であって、接地用コンタクトが配置されるスリットに沿って上下方向に切断した断面図である。
【発明を実施するための形態】
【００１４】
以下、本願発明に係るカードエッジコネクタの好ましい実施態様について図面を用いて説明する。
【００１５】
（第１の実施例）
図１ないし７には、本願発明に係るカードエッジコネクタの第１の実施例が示されている。なお、本実施例の説明において、「左」及び「右」は、それぞれ、図１において、＋ｘ方向及び−ｘ方向を、「前」及び「後」は、それぞれ＋ｙ方向及び−ｙ方向を、「上」及び「下」は、それぞれ、＋ｚ方向及び−ｚ方向を指す。
【００１６】
図１ないし３に示されるように、本発明の第１の実施例に係るカードエッジコネクタ１０は、第１プリント配線板７０に取り付けられている。また、該カードエッジコネクタ１０内に挿入されるプラグコネクタ８０が第２プリント配線板９０に取り付けられている。プラグコネクタ８０がカードエッジコネクタ１０内に挿入される。具体的には、プラグコネクタ８０のブレード８１がカードエッジコネクタ１０のプラグコネクタ収容空間１９ａ内に挿入される。それにより、ブレード８１の上下面それぞれに配置されている外部接点としての第１及び第２パッド８２ａ、８２ｂが、対応するカードエッジコネクタ１０の第１及び第２信号線用コンタクト２０、５０や第１及び第２接地用コンタクト３０、６０と接触する。結果として、第１及び第２プリント配線板７０及び９０が、電気的に接続され、それにより、第１及び第２プリント配線板７０及び９０の間の高速伝送による信号のやりとりが可能となる。この場合、カードエッジコネクタ１０側の第１及び第２接地用コンタクト３０、６０及びそれに対応するプラグコネクタ８０側の第１及び第２パッドは、それぞれ、信号が往復する２つの信号線用コンタクトまたは２つのパッドを挟んで配置されている。なお、本実施例では、プラグコネクタ８０の第１パッド８２ａ及びカードエッジコネクタ１０の第１信号線用コンタクト２０を介して信号が高速伝送され、第２パッド８２ｂ及び第２信号線用コンタクト５０を介しては、電源などの信号が低速で伝送されるものとする。
【００１７】
本実施例に係るカードエッジコネクタ１０は、概略、本体１１、複数のコモンコンタクト４０、複数の第１信号線用コンタクト２０、複数の第２信号線用コンタクト５０、複数の第１接地用コンタクト３０及び複数の第２接地用コンタクト６０を備えている。
【００１８】
本体１１は、電気的に絶縁性の合成樹脂から形成され、その外郭は、概略、直方体をなし、本実施例では左右方向に細長く延在している。本体１１の前方側には、プラグコネクタ８０が挿入される収容凹部１９（図２（ａ）、図７参照）、及び複数の第２信号線用コンタクト５０及び複数の第２接地用コンタクト６０それぞれが収容される複数の第２スリット１５が形成される。また、本体１１の後方側には、複数の第１信号線用コンタクト２０及び複数の第１接地用コンタクト３０それぞれが収容される複数の第１スリット１２が形成される。
【００１９】
収容凹部１９は、前方に向って開放され、カードエッジコネクタ１０の左右方向水平に延在し、プラグコネクタ８０が挿入され得るように水平な扁平状のプラグコネクタ収容空間１９ａを画定している。該プラグコネクタ収容空間１９ａの垂直断面形状は、図７に良く示されるように、プラグコネクタ８０の垂直断面形状に類似するように形成されることが好ましい。また、収容凹部１９の前方開口部１９ｂは、プラグコネクタ８０の挿入を円滑に案内するために、前方に向ってテーパ状に拡開していることが好ましい。
【００２０】
本体１１の前方側に設けられる複数の第２スリット１５はいずれも、少なくとも前方及び収容凹部１９で画定されるプラグコネクタ収容空間１９ａに向って開放している。すなわち、第２スリット１５は、収容凹部１９の下に形成される。複数の第２スリット１５は、具体的には、前後方向に延在する。複数の第２スリット１５は、互いに平行に且つ等間隔に、上記水平なプラグコネクタ収容空間１９ａに対して直角をなすように形成される。また、各第２スリット１５の垂直断面形状は、収容される第２信号線用コンタクト５０または第２接地用コンタクト６０の垂直断面形状に類似し、概略、Ｌ字形をなすように形成される。したがって、第２スリット１５は、概略前方に向って開放する垂直部分と概略プラグコネクタ収容空間１９ａに向って（すなわち、上方に向って）開放する水平部分を備えている。複数の第２スリット１５それぞれの垂直部分には、収容される第２信号線用コンタクト５０または第２接地用コンタクト６０をスリット１５内で固定するための固定用圧入孔１６及び１７が２つ形成されている。該２つの固定用圧入孔１６、１７は、互いに平行に、概略水平に形成されている。
【００２１】
次に、本体１１の後方側に設けられる複数の第１スリット１２はいずれも、前方、後方及びプラグコネクタ収容空間１９ａに向って開放している。すなわち、各第１スリット１２の一部は、本体１１の上方を前後方向に貫通している。複数の第１スリット１２は、また、上記複数の第２スリット１５に対向して対をなすように形成される。各第１スリット１２は、具体的には、上記第２スリット１５と同様、前後方向に延在し、互いに平行に且つ等間隔に、上記水平なプラグコネクタ収容空間１９ａに対して直角をなすように形成される。また、各第１スリット１２の垂直断面形状も、収容される第１信号線用コンタクト２０または第１接地用コンタクト３０の垂直断面形状に類似し、概略、Ｌ字形をなすように形成される。したがって、第１スリット１２は、概略後方に向って開放する垂直部分と概略プラグコネクタ収容空間１９ａに向って（すなわち、下方に向って）開放する水平部分を備えている。さらに、本実施例では、複数の第１スリット１２それぞれの垂直部分には、収容される第１信号線用コンタクト２０または第１接地用コンタクト３０をスリット１２内で固定するための固定用圧入孔１３及び１４が形成される。該２つの固定用圧入孔１３、１４は、互いに平行に、概略水平に形成されている。本実施例においては、複数の第１スリット１２のうち、第１接地用コンタクトが収容される第１スリット１２Ａと第１信号線用コンタクトが収容される第１スリット１２Ｂとでは、以下に説明する嵌合凹部が設けられる点においてのみその構成が異なる。すなわち、第１接地用コンタクトが収容されるスリット１２Ａのそれぞれの垂直部分には、さらに、図３に示されるように、後述するコモンコンタクト４０の第１及び第２脚部４２、４３の一部が嵌め込まれる第１及び第２嵌合凹部１８ａ、１８ｂが形成される。第１及び第２嵌合凹部１８ａ及び１８ｂにより、コモンコンタクト４０の第１及び第２脚部４２、４３が嵌合し得る嵌合空間が形成される。第１嵌合凹部１８ａと第２嵌合凹部１８ｂは、第１スリット１２の垂直部分を挟んで対をなして形成され、それぞれは、後方及び第１スリット１２に向って開放するように形成される。第１及び第２嵌合凹部１８ａ、１８ｂそれぞれの高さ（上下方向の長さ）Ｌ2は、同じであり、コモンコンタクト４０の高さＨ1に等しいか、それより若干大きい長さを有するように設定される。また、第１及び第２嵌合凹部１８ａ、１８ｂにより形成される嵌合空間の幅（左右方向の長さ）をＷ2とすると、幅Ｗ2は、コモンコンタクト４０の第１脚部４２の幅Ｓ2または第２脚部４３の幅Ｓ3（Ｓ2＝Ｓ3）に等しいか、それらより若干大きい長さを有するように設定される。さらに、２つの嵌合空間の間隔をＷ1とすると、該間隔Ｗ1がコモンコンタクト４０の幅Ｓ1に等しいかそれより若干小さい長さを有するように設定される。
【００２２】
次に、本実施例における複数の第２信号線用コンタクト５０は、いずれも導電性の金属薄板から概略Ｓ字形に打ち抜き形成される。各第２信号線用コンタクト５０は、図７に示されるように、上から、接点部５１、弾性変形部５２、固定部５３及び端子部５４を備える。
【００２３】
接点部５１は、本実施例では、上方に向って凸状に湾曲した形状をなし、プラグコネクタ収容空間１９ａ内に突出するように形成され、対応するプラグコネクタ８０の外部接点としての第２パッド８２ｂに所望の接触圧で接触し得る。
【００２４】
弾性変形部５２は、本実施例では、固定部５３から前方に向って延びだし、概略Ｃ字形に湾曲して後方且つ上方に向って延在し、接点部５１に連続するように形成され、弾性変形することで接点部５１に所望の接触圧を提供する。
【００２５】
固定部５３は、本実施例では、接点部５１及びこれに続く弾性変形部５２を該固定部５３の前方側に支持するように形成され、上下方向に垂直に延在する。固定部５３は、さらに、固定部５３に直角をなして該固定部５３から弾性変形部５２とは反対側に（後方側に）突出する２つの圧入突起５５、５６を備えている。２つの圧入突起５５、５６は、上下方向に適宜の間隔を有して配置される。２つの圧入突起５５、５６は、カードエッジコネクタ１０の本体１１の第２スリット１５に設けられている固定用圧入孔１６及び１７内に圧入され、カードエッジコネクタ１０に対して信号線用コンタクト５０を保持する。
【００２６】
端子部５４は、固定部５３に支持される弾性変形部５２の下方に形成され、すなわち、固定部５３から前方、下方に向って延在するように形成され、プリント配線板７０の外部接点（不図示）に接続され得る。具体的には、接点部５４とプリント配線板７０の外部接点は、半田付けされ、プリント配線板７０の電気回路に電気的に接続される。
【００２７】
次に、複数の第２接地用コンタクト６０（図７参照）は、上記第２信号線用コンタクト５０と同様、いずれも導電性の金属薄板から概略Ｓ字形に打ち抜き形成される。各第２接地用コンタクト６０は、上記第２信号線用コンタクト６０とほぼ同様の構造を備えているので説明を省略する。なお、第２接地用コンタクト６０の接点部から固定部までの長さは、第２信号線用コンタクト５０のそれと同じであってもよいし、それよりも若干長く又は短く設定されてもよい。
【００２８】
他方、本実施例における複数の第１信号線用コンタクト２０はいずれも、導電性の金属薄板から概略Ｌ字形に打ち抜き形成されており、それぞれは、図７に示されるように、上から、接点部２１、弾性変形部２２、固定部２３及び端子部２４を備える。
【００２９】
接点部２１は、本実施例では、下方に向って凸状に湾曲した形状をなし、プラグコネクタ収容空間１９ａ内に突出するように形成され、対応するプラグコネクタ８０の外部接点としての第１パッド８２ａに所望の接触圧で接触し得る。ここで、第１信号線コンタクト２０は、プラグコンタクト８０のブレード８１の上面側に設けられている第１パッド８２ａに接触する。他方、第２信号線用コンタクト５０は、プラグコンタクト８０のブレード８１の下面側に設けられている第２パッド８２ｂに接触する。したがって、第１信号線用コンタクト２０の接点部２１は、プラグコネクタ収容空間１９ａに対して上方から突出し、第２信号線用コンタクト５０の接点部５１は、プラグコネクタ収容空間１９ａに対して下方から突出することが理解されるであろう。
【００３０】
弾性変形部２２は、本実施例では固定部２３から概略Ｌ字形に湾曲して前方に且つ若干下方に向って延在し、接点部２１に連続するように形成されており、弾性変形することで接点部２１に所望の接触圧を提供する。
【００３１】
固定部２３は、本実施例では、接点部２１及びこれに続く弾性変形部２２が固定部２３に対して前方側に配置されるように該固定部２３の上方で支持するように形成される。固定部２３は、上述したように、接点部２１をプラグコネクタ収容空間１９ａ内に上方から突出させるために、第２信号線用コンタクト５０の固定部５３の上下方向の長さより大きい長さを有して上下方向に垂直に延在する。固定部２３は、また、該固定部２３に直角をなし、該固定部５３から弾性変形部５２と同じ側に（前方側に）突出する２つの圧入突起２５、２６を備えている。２つの圧入突起２５、２６は、上下方向に、上記第２信号線用コンタクト５０の２つの圧入突起５５、５６の間隔より大きい間隔Ｌ1を有して配置される。２つの圧入突起５５、５６は、それぞれ、本体１１の第１スリット１２に設けられている、対応する固定用圧入孔１３及び１４内に圧入され、カードエッジコネクタ１０に対して第１信号線用コンタクト２０を保持する。
【００３２】
端子部２４は、固定部５３から後方、下方に向って延在するように形成され、プリント配線板７０の外部接点（不図示）に接続され得る。具体的には、上記第２信号線用コンタクト５０の場合と同様に、接点部２４とプリント配線板７０の外部接点は、半田付けされ、プリント配線板７０の電気回路に電気的に接続される。
【００３３】
第１信号線用コンタクト２０は、さらに、図３及び７に示されるように、固定部２３の後方側に、逃げ凹部２７が設けられている。逃げ凹部２７は、図５に示されるように、カードエッジコネクタが組み立てられたとき、接地用コンタクト３０間を連結するコモンコンタクト４０が信号線用コンタクト２０に接触しないように設けられるものである。したがって、逃げ凹部２７は、設計上許容されるのであれば設けなくてもよい。
【００３４】
次に、本実施例における複数の第１接地用コンタクト３０は、上記第１信号線コンタクト２０と同様、いずれも導電性の金属薄板から概略Ｌ字形に打ち抜き形成される。各第１接地用コンタクト３０は、逃げ凹部２７を除いて、上記第１信号線用コンタクト２０と実質的に同じ構造を備えているので説明を省略する。しかしながら、上記第１信号線コンタクト２０の説明において、付番の２０番台を３０番台に置きかえて読むことで、第１接地用コンタクト３０の構造が容易に理解されるであろう。なお、第１接地用コンタクト３０の接点部２１から固定部２３までの長さは、第１信号線用コンタクト２０のそれと同じであってもよいし、それよりも若干長く又は短く設定されていてもよい。
【００３５】
次に、本発明の特徴点である、本実施例に係るカードエッジコネクタ１０を構成するコモンコンタクト４０について、図６（ａ）、（ｂ）を参照して説明する。コモンコンタクト４０は、カードエッジコネクタ１０に設置される複数の第１接地用コンタクト３０の電位を合わせるために、これらの間を連結する部材である。本実施例におけるコモンコンタクトは、導電性の金属薄板から打ち抜かれた後、曲げ加工されることにより形成される。
【００３６】
本実施例に係るコモンコンタクト４０は、２つおきに配置される第１スリット１２Ａに収容される第１接地用コンタクト３０の間を連結し、これらの間を電気的に接続する。より具体的には、本実施例に係るコモンコンタクト４０は、任意の第１スリット１２Ａ内に配置される第１接地用コンタクト３０と該第１スリット１２Ａの左右に配置される第１接地用コンタクト３０との２つの接地用コンタクトのみを連結する。本実施例では、したがって、複数のコモンコンタクト４０が用意され、カードエッジコネクタ１０に組み込まれる全ての第１接地用コンタクト３０が電気的に接続される。このように構成することにより、２つのプリント配線基板７０、９０間に配置される全ての第１接地用コンタクト３０及び接地用コンタクト（パッド）８２ａで形成される接地用導線の途中で該接地用導線の電位が同じくなる。それにより、プラグコネクタ８０及びカードエッジコネクタ１０の２つのコネクタ領域における接地用導線によるシールド効果の低下を防止し、クロストークを低減するとともに、ノイズが放射されることを防止する。
【００３７】
本実施例に係るコモンコンタクト４０は、平坦な本体４１、該本体４１の左右両端部から折り曲げられて形成される第１及び第２の脚部４２及び４３を備えている。本体４１は、高さ（上下方向の長さ）Ｈ1及び幅（左右方向の長さ）Ｓ1を有するほぼ矩形状の板体として形成されている。
【００３８】
第１の脚部４２は、本体４１の左端部から該本体４１に対して直角をなすように前方に折り曲げられた折り曲げ部４２ｂ及び該折り曲げ部４２ｂから外側（左側）に折り返された折り返し部４２ａを有する。第１の脚部４２は、その下端面から高さＨ2を有する折り曲げ部４２ｂが、本体４１の左端部下側から前方に向って延在し、所定の位置でＵ字形に折り返され、折り返し部４２ａが後方に延在する。折り返し部４２ａは、折り曲げ部４２ｂと同じ高さＨ2を有するとともに、該折り曲げ部４２ｂと平行であって、該折り曲げ部４２ｂと間隔Ｓ2を介して挟持部４２ｃを形成するように折り曲げ部４２ｂから後方に折り返される。挟持部４２ｃには、第１接地用コンタクト３０の固定部３３が嵌め込まれる。言い換えれば、折り曲げ部４２ｂと折り返し部４２ａとで固定部３３を挟持する。第１の脚部４２の高さＨ2は、本体４１の高さＨ1のほぼ１／２であり（Ｈ2＝１／２×Ｈ1）、第１の脚部４２の折り曲げ部４２ｂと折り返し部４２ａとの間の間隔Ｓ2は、第１接地用コンタクト３０の板厚にほぼ等しい。なお、第１の脚部４２の下端面は、図６（ａ）に示されるように、本体４１の下端面と面一である。
【００３９】
第２の脚部４３は、本体４１の右端部から該本体４１に対して直角をなすように前方に折り曲げられた折り曲げ部４３ｂ及び該折り曲げ部４３ｂから外側（右側）に折り返された折り返し部４３ａを有する。第２の脚部４３は、その上端面から高さＨ3を有する折り曲げ部４３ｂが、本体４１の右端部上側から前方に向って延在し、所定の位置でＵ字形に折り返され、折り返し部４３ａが後方に延在する。折り返し部４３ａは、折り曲げ部４３ｂの高さＨ2と同じ高さＨ3を有するとともに、該折り曲げ部４３ｂと平行であって、該折り曲げ部４３ｂと間隔Ｓ3を介して挟持部４３ｃを形成するように折り曲げ部４３ｂ先端から後方にさらに折り返される。挟持部４３ｃには、第１接地用コンタクト３０の固定部３３が嵌め込まれる。言い換えれば、折り曲げ部４３ｂと折り返し部４３ａとで固定部３３を挟持する。第２の脚部４３の高さＨ3は、上述したように、折り曲げ部４３ｂの高さと同じであり、本体４１の高さＨ1のほぼ１／２である（Ｈ2＝Ｈ3＝１／２×Ｈ1）。また、第２の脚部４３の折り曲げ部４３ｂと折り返し部４３ａとの間に形成される挟持部４３ｃの間隔Ｓ3は、第１接地用コンタクト３０の板厚にほぼ等しい（Ｓ2＝Ｓ3）。以上の説明及び図６（ａ）から理解されるように、第２の脚部４３は、本体４１に対して第１の脚部４２の点対称の位置に配置される。
【００４０】
コモンコンタクト４０をこのように形成することにより、簡単な構造で、組み立てが容易であり、複数の第１接地用コンタクト３０を確実に連結し、電気的に接続することが可能となるとともに、製造に際し、材料を無駄にすることもない。
【００４１】
なお、第１の脚部４２の下端面は、図６（ａ）に示されるように、本体４１の下端面と面一である。また、本実施例では、第１の脚部４２が本体４１の左端部下側に設けられ、第２の脚部４３が本体４１の右端部上側に設けられているが、これに限定されるものではなく、第１の脚部４２が左端部上側に設けられ、第２の脚部４３が右端部下側に設けられていてもよい。
【００４２】
上述した構成を備えるコモンコンタクト４０により、２つの第１接地用コンタクト３０、３０の間が連結される。図６（ｂ）に示されるように、本実施例に係るコモンコンタクト４０は、２つの第１信号線用コンタクト２０Ａ、２０Ｂを挟んで配置される２つの第１接地用コンタクト３０Ａ、３０Ｂを連結する。より具体的には、図６（ｂ）に示されるように、コモンコンタクト４０の第２脚部４３が、第１接地用コンタクト３０Ａの固定部３３Ａに設けられる２つの圧入突起３５Ａと３６Ａとの間で、上下方向垂直に延在する固定部３３Ａを挟持する。すなわち、固定部３３Ａは、第２脚部４３を構成する折り曲げ部４３ｂと折り返し部４３ａとで形成される挟持部４３ｃ内に嵌め込まれ、それにより、第１接地用コンタクト３０Ａとコモンコンタクト４０は電気的に接続される。また、コモンコンタクト４０の第１脚部４２は、上記第２脚部と同様に、２つの第１信号線用コンタクト２０Ａ、２０Ｂを挟んで配置される第１接地用コンタクト３０Ｂの固定部３３Ｂを挟持する。このとき、第１脚部４２は、第１接地用コンタクト３０Ｂとさらにその向こう側（左側）に配置される第１接地用コンタクト（不図示）とを連結するコモンコンタクト４０の第２脚部４３の下に配置される。この２つの脚部４２及び４３の配置態様は、第１接地用コンタクト３０Ａにおける２つのコモンコンタクト４０それぞれの第１脚部４２と第２脚部４３の配置と同様である。なお、図６（ｂ）において、付番３２Ａ、３４Ａは、それぞれ、第１接地用コンタクト３０Ａの弾性変形部及び端子部を示す。
【００４３】
次に、図３ないし５を用いて、本実施例に係るカードエッジコネクタ１０への第１信号線用コンタクト２０及び第１接地用コンタクト３０の組み込みについて簡単に説明する。なお、ここで説明する組み立て方法は、ほんの一例にすぎず、例えば、第１接地用コンタクト３０とコモンコンタクト４０を予め組み立てておいて、カードエッジコネクタ１０の本体１１に装着するようにしてもよい。
【００４４】
先ず、図３に示されるように、第１スリット１２の対応するスリット１２Ｂ内に第１信号線用コンタクト２０が挿入され、カードエッジコネクタ１０の本体１１に固定される。第１信号線用コンタクト２０は、２つが１組となって、右端（図３では左端）にある接地用コンタクト３０が収容される予定の１つのスリット１２Ａを空けて、その左側に隣接する２つのスリット１２Ｂ内にそれぞれ挿入される。次の１組は、再び、第１接地用コンタクト３０が収容される予定の１つのスリット１２Ａを空けて、その左側に隣接する２つのスリット１２Ｂ内にそれぞれ挿入される。以下、これを繰り返して、第１信号線用コンタクト２０が全て対応するスリット１２ｂ内に挿入され、それにより、第１信号線用コンタクト２０のカードエッジコネクタ１０の本体１１への設置が完了する。なお、左端にあるスリット１２Ａに第１接地用コンタクト３０が収容されるように、第１スリット１２が本体１１に形成される。
【００４５】
次に、図４に示されるように、複数のコモンコンタクト４０が所定のスリット１２Ａに設けられた対をなす第１及び第２嵌合凹部１８ａ、１８ｂにより形成される嵌合空間を介してカードエッジコネクタ１０の本体１１に設置される。各コモンコンタクト４０の第１及び第２脚部４２、４３が、図６に示される配置をなして嵌合空間内に挿入されることで、複数のコモンコンタクト４０が本体１１に保持される。この状態において、複数の第１接地用コンタクト３０が、対応する第１スリット１２Ａに挿入され、カードエッジコネクタ１０の本体１１に固定される。このとき、同時に、第１接地用コンタクト３０それぞれの固定部３３がコモンコンタクト４０の第１及び第２脚部４２、４２に挟持される。
【００４６】
このようにして、図５に示されるように、第１信号線用コンタクト２０及び第１接地用コンタクト３０が、対応する第１スリット１２Ａ、１２Ｂ内にＧ−Ｓ−Ｓ−Ｇ配置で収容される。また、収容された第１接地用コンタクト３０は、複数の本実施例に係るコモンコンタクト４０により、全て、電気的に接続された状態でカードエッジコネクタ１０の本体１１に設置される。
【００４７】
このように複数のコモンコンタクト４０で全ての第１接地用コンタクト３０を連結することにより、プリント配線板間をつなぐ接地用コンタクトが全て同じ電位に保持される。それにより、シールド効果が従来装置よりも優れて接地用コンタクトを挟んで配置されている信号線用コンタクトを通る信号間のクロストークを低減し得る。さらには、従来装置のように、信号線用コンタクトを通る信号によるノイズの発生も抑制し得る。
【００４８】
本実施例では、信号が往復する２つの第１信号線用コンタクトを通って信号が高速で伝送されるため、隣接する２つの第１信号線用コンタクトを挟む第１接地用コンタクトにのみコモンコンタクトを設けるように説明してきた。しかしながら、第２信号線用コンタクトを通って信号が高速で伝送される場合、隣接する２つの第２信号線用コンタクトを挟む第２接地用コンタクトにコモンコンタクトを設けるようにする必要がある。この場合、第２信号線用コンタクト及び第２接地用コンタクトは、例えば、後述する第２の実施例のように形成することで、第２接地用コンタクトをコモンコンタクトで連結することが可能となる。
【００４９】
（第２の実施例）
図８ないし１４には、本願発明に係るカードエッジコネクタの第２の実施例が示されている。本実施例は、上記第１の実施例と比べてコモンコンタクトの構成が異なり、それにともなって、第１信号線用コンタクト及び第１接地用コンタクトの構成及びコモンコンタクトによる第１接地用コンタクトの連結構造が異なる。以下、その相違点を中心に説明する。本実施例においても、上記第１の実施例と同様、信号が高速伝送されるのは、第１信号線用コンタクトのみであるものとする。
【００５０】
なお、本実施例の説明において、「左」及び「右」は、それぞれ、図８において、＋ｘ方向及び−ｘ方向を、「前」及び「後」は、それぞれ＋ｙ方向及び−ｙ方向を、「上」及び「下」は、それぞれ、＋ｚ方向及び−ｚ方向を指す。
【００５１】
本実施例においても、本発明の第２の実施例に係るカードエッジコネクタ１１０は、第１実施例と同様に、第１プリント配線板（不図示）に取り付けられている。また、該カードエッジコネクタ１１０内には、第２プリント配線板（不図示）に取り付けられているプラグコネクタ８０が挿入されることでプリント配線板間が電気的に接続されることも第１の実施例と同様である。また、カードエッジコネクタ１１０内における信号線用コンタクト（Ｓ）及び接地用コンタクト（Ｇ）の配置も第１の実施例と同様、Ｇ−Ｓ−Ｓ−Ｇ配置である。
【００５２】
本実施例に係るカードエッジコネクタ１１０は、概略、本体１１１、コモンコンタクト１４０、ホルダ１４５、複数の第１信号線用コンタクト１２０、複数の第２信号線用コンタクト１５０、複数の第１接地用コンタクト１３０及び複数の第２接地用コンタクト１６０を備えている。
【００５３】
最初に、本実施例に係るカードエッジコネクタ１１０の本体１１１について説明する。
【００５４】
本体１１１は、本実施例においても上記第１の実施例と同様、電気的に絶縁性の合成樹脂から形成され、その外郭は、概略、直方体をなし、左右方向に細長く延在している。
【００５５】
本実施例においては、本体１１１が、上記第１の実施例と比べて、コンタクトを収容するスリットに設けられた圧入孔の構成及びホルダ１４５取り付けのための構造が異なるのみでその他の構造は全く同じである。
【００５６】
本実施例では、本体１１１の後方側に設けられた、第１信号線用コンタクト１２０及び第１接地用コンタクト１３０が収容される複数の第１スリット１１２には、１つの固定用圧入孔１１８Ａが形成される。該固定用圧入孔１１８Ａは、各第１スリット１１２内で第１信号線用コンタクト１２０または第１接地用コンタクト１３０を本体１１１に固定するために、複数の第１スリット１１２それぞれの垂直部分に、概略水平方向に延在するように形成されている。圧入孔１１８Ａは、後述する第１信号線用コンタクト１２０の固定部１２３の第１水平圧入部１２３ｂの上面と第２水平部１２３ｄの下面との間の距離Ｌ3にほぼ等しい高さ（上下方向の長さ）を有する。また、圧入孔１１８Ａは、第１垂直部１２３ａの前端面と第２垂直部１２３ｃの前端面との間の距離Ｌ5にほぼ等しい深さ（前後方向の長さ）を有する。すなわち、圧入孔１１８Ａは、垂直断面で、高さＬ3、深さＬ5を有する概略矩形状をなしている。
【００５７】
また、圧入孔１１８Ａを通って後述するホルダ１４５が組み込めるように、本体１１１の隣接する第１スリット１１２間を仕切る仕切り壁１１２ａには、切欠凹部１１２ｂが形成されている。該切欠凹部１１２ｂは、後方に向って開放し、本体１１１を左右方向に横断するように形成されている。切欠凹部１１２ｂは、ホルダ１４５の高さＨ21とほぼ等しい高さ及びホルダ１４５の奥行Ｔ21から第１接地用コンタクト１３０の固定部１３３の第１垂直部１３３ａの幅（前後方向の長さ）を差し引いた長さに相当する深さを有する。すなわち、切欠凹部１１２ｂは、垂直断面で、高さＨ21、深さ［Ｔ２１−（Ｌ6−Ｌ5）］を有する概略矩形状をなしている。
【００５８】
また、本体１１１の前方側に設けられた、第２信号線用コンタクト１５０及び第２接地用コンタクト１６０が収容される複数の第２スリット１１５には、少なくとも１つの圧入孔１１８Ｂが形成される。該固定用圧入孔１１８Ｂは、各第２スリット１１５内で第２信号線用コンタクト１５０または第２接地用コンタクト１６０を本体１１１に固定するために、複数の第２スリット１１５それぞれの垂直部分に、概略水平に形成されている。
【００５９】
本実施例における本体１１１のその他の構造は、上記第１の実施例における本体１１の構造と実質的に同じであるので説明を省略する。しかしながら、本実施例における本体１１１のその他の構造は、上記第１の実施例における本体１１の説明において、その付番に１００を加えて読むことで、本実施例における本体１１１の構造が容易に理解されるであろう。
【００６０】
次に、上記第１の実施例と構造を異にする本実施例に係る第１信号線用コンタクト１２０について説明する。本実施例における複数の第１信号線用コンタクト１２０それぞれは、導電性の金属薄板から概略Ｓ字形をなして打ち抜き形成されており、図１０に示されるように、上から、接点部１２１、弾性変形部１２２、固定部１２３及び端子部１２４を備える。
【００６１】
本実施例では、固定部１２３の構造が上記第１の実施例における第１信号線用コンタクト２０と異なるのみで、その他の構成は第１の実施例とほぼ同じである。本実施例における固定部１２３は、上記第１の実施例のように弾性変形部２２から端子部２４に至るまで上下に垂直に延在していない。図１０に示されるとおり、本実施例の固定部１２３は、前方に向って概略Ｃ字状に突出している。具体的には、本実施例の固定部１２３は、第１垂直部１２３ａ、第１水平圧入部１２３ｂ、垂直圧入部１２３ｃ、第２水平圧入部１２３ｄ及び端子部１２４に続く第２垂直部１２３ｅを含む。
【００６２】
第１垂直部１２３ａは、弾性変形部１２２から続いて垂直方向下方に延在し、第１水平圧入部１２３ｂは、第１垂直部１２３ａに対して直角をなし、該第１垂直部１２３ａ下端から前方に延びている。垂直圧入部１２３ｃは、第１水平圧入部１２３ｂに対して直角をなし、該水平第１圧入部１２３ｂ前端から垂直方向下方に延在し、第２水平圧入部１２３ｄは、垂直圧入部１２３ｃに対して直角をなし、該垂直圧入部１２３ｃ下端から後方に延びている。さらに、第２垂直部１２３ｅは、第２水平圧入部１２３ｄに対して直角をなし、該第２水平圧入部１２３ｄ後端から垂直方向下方に延在し、端子部１２４に続く。したがって、本実施例では、第１信号線用コンタクト１２０は、第１及び第２水平圧入部１２３ｂ、１２３ｄと垂直圧入部１２３ｃとで、後述するホルダ１４５を収容するためのホルダ収容凹部１２７を形成している。なお、少なくとも第１垂直部１２３ａの後端面と第２垂直部１２３ｅの後端面は、上下方向に同じ垂直面上にあることが好ましい。本実施例では、第１垂直部１２３ａの前端面と垂直圧入部１２３ｃの前端面との間の距離をＬ5とし、第１垂直部１２３ａ（または、第２垂直部１２３ｅ）の後端面と垂直圧入部１２３ｃの前端面との間の距離をＬ6とする。また、第１水平圧入部１２３ｂの上面と第２水平圧入部１２３ｄの下面との間の距離をＬ3とし、第１水平圧入部１２３ｂの下面と第２水平圧入部１２３ｄの上面との間の距離をＬ4とする。
【００６３】
次に、本実施例に係る第１接地用コンタクト１３０について説明する。複数の第１接地用コンタクト１３０は、上記第１信号線コンタクト１２０と同様、いずれも導電性の金属薄板から概略Ｓ字形をなして打ち抜き形成される。各第１接地用コンタクト１３０は、固定部１３３の垂直圧入部１３３ｃの後端面に２つの接触突起１３５、１３６を備えている点及び距離Ｌ４が第１信号線用コンタクト１２０より若干小さく設定される点でのみ上記第１の信号線用コンタクト１２０の構造と異なる。該２つの接触突起１３５、１３６は、コモンコンタクト１４０に接触するように形成されており、垂直圧入部１３３ｃの後端面から後方に向って突出している。また、距離Ｌ４が第１信号線用コンタクト１２０より若干小さく設定されるのも、第１接地用コンタクト１３０がコモンコンタクト１４０に接触することを可能とするためである。
【００６４】
各第１接地用コンタクト１３０は、上記接触用突起１３５、１３６を除いて、その他の構造は、上記第１信号線用コンタクト２０と実質的に同様の構造を備えているので説明を省略する。しかしながら、上記第１信号線コンタクト２０の説明において、付番の１２０番台を１３０番台に置きかえて読むことで、本実施例における第１接地用コンタクト１３０のその他の構造は容易に理解されるであろう。なお、本実施例では、第１接地用コンタクト１３０の接点部１２１から固定部１２３までの長さが、第１信号線用コンタクト１２０のそれよりも若干長く設定されていてもよい。また、第１垂直部１２３ａ（または、第２垂直部１２４ｅ）の後端面と第２垂直部１２３ｃの前端面との間の距離を第１信号線用コンタクトのＬ5より若干大きく設定してもよい。
【００６５】
次に、本実施例に係る第２接地用コンタクト１６０について説明する。本実施例における複数の第２接地用コンタクト１６０は、いずれも導電性の金属薄板から概略Ｌ字形をなして打ち抜き形成される。各第２接地用コンタクト１６０は、図１４に示されるように、上から、接点部１６１、弾性変形部１６２、固定部１６３及び端子部１６４を備える。
【００６６】
接点部１６１は、本実施例では、上方に向って凸状に湾曲した形状をなし、プラグコネクタ収容空間１１９ａ内に突出するように形成され、対応するプラグコネクタ（不図示）の外部接点としての第２パッド（不図示）に所望の接触圧で接触し得る。
【００６７】
弾性変形部１６２は、本実施例では、固定部１６３から上方に向って延びだし、概略Ｌ字形に湾曲して前方に且つ若干下方に向って延在し、接点部１６１に連続するように形成されており、弾性変形することで接点部１６１に所望の接触圧を提供する。
【００６８】
固定部１６３は、本実施例では、Ｌ字形に延在する弾性変形部１６２の垂直部分に連続するように、上下方向に垂直に延在する。固定部１６３は、また、固定部１６３に直角をなして該固定部１６３から接点部１６１と同じ側に（後方側に）突出する１つの圧入突起１６５を備えている。圧入突起１６５は、さらに、上下方向に該圧入突起１６５から突出する２つの停止突起１６６ａ、１６６ｂを備えている。圧入突起１６５は、本体１１１の第２スリット１１５に設けられている固定用圧入孔１１８ｂ内に圧入され、２つの停止突起１６６ａ、１６６ｂとともにカードエッジコネクタ１１０に対して第２接地用コンタクト１６０を確実に保持する。なお、本実施例では、圧入突起１６５が１つであるが、上記第１実施例のように２つ設けられてもよい。その場合、停止突起１６６ａ、１６６ｂは省略され得る。
【００６９】
端子部１６４は、本実施例では、固定部１６３から前方、下方に向って延在するように形成され、プリント配線板（不図示）の外部接点に半田付けされ、プリント配線板の電気回路に電気的に接続される。
【００７０】
次に、複数の第２信号線用コンタクト１５０（図１４参照）は、上記第２接地用コンタクト１６０と同様、いずれも導電性の金属薄板から概略Ｓ字形に打ち抜き形成される。各第２信号線用コンタクト１５０は、上記第２接地用コンタクト１６０とほぼ同様の構造を備えているので説明を省略する。なお、第２信号線用コンタクト１５０の接点部から固定部までの長さは、第２接地用コンタクト１６０のそれと同じであってもよいし、それよりも若干長く又は短く設定されてもよい。
【００７１】
次に、本発明の特徴点である、本実施例に係るカードエッジコネクタ１０を構成するコモンコンタクト１４０及びホルダ１４５について、図１２を参照して説明する。本実施例におけるコモンコンタクト１４０は、カードエッジコネクタ１１０に設置される複数の第１接地用コンタクト１３０の電位を合わせるために、これらの間を一括して電気的に接続する部材である。また、本実施例におけるホルダ１４５は、コモンコンタクト１４０を保持し、第１接地用コンタクト１３０に電気的に接触させるための部材である。
【００７２】
このようなコモンコンタクト１４０を備えることにより、上記第１の実施例と同様に、本実施例においても、プラグコネクタ及びカードエッジコネクタの２つのコネクタ領域における接地用導線によるシールド効果の低下を防止することが可能となる。それにより、信号線間のクロストークを低減するとともに、ノイズが放射されることを防止する。
【００７３】
本実施例におけるコモンコンタクト１４０は、導電性の金属薄板から打ち抜かれた後、曲げ加工されることにより形成される。本実施例に係るコモンコンタクト１４０は、左右方向に延在する細長い本体１４１及び第１接地用コンタクト１３０に接触し得る一対の第１及び第２脚部１４２、１４３を備えている。第１脚部１４２は、本体１４１からほぼ垂直に上方に延び、概略Ｌ字形に折り曲げられ、後方に向ってほぼ水平に延在するとともに、上に向って若干凸状に湾曲して形成されることが好ましい。第２脚部１４３は、第１脚部１４２に対して対をなすように、本体１４１からほぼ垂直に下方に伸び、概略Ｌ字形に折り曲げられ、後方に向ってほぼ水平に延在するとともに、下に向って若干凸状に湾曲して形成されることが好ましい。１組の対をなす第１及び第２脚部１４２、１４３は、図１２に示されるように、間隔Ｓ11をおいて、且つ各組が互いに平行に配列されように、複数組配置されている。本実施例では、２つのコモンコンタクト１４０が示されているが、１つにまとめられていてもよいし、複数設けられてもよい。本実施例に係るコモンコンタクトは、また、図１２に示されるように、高さ（上下方向の長さ）Ｈ11、奥行き（前後方向の長さ）Ｔ11を有する。
【００７４】
コモンコンタクト１４０は、このように形成されることで、組み立てられたとき、図１３に示されるように、第１及び第２脚部１４２、１４３の垂直部分が、第１接地用コンタクト１３０の固定部１３３の垂直圧入部１３３ｃの後端面に接触し得る。同様に、第１脚部１４２の水平部分が、第１水平圧入部１３３ｂの下端面に、及び第２脚部１４３の水平部分が第２水平圧入部１３３ｄの上端面に接触し得る。それにより、コモンコンタクト１４０は、複数の第１接地用コンタクト１３０を電気的に接続し、結果として、複数の第１接地用コンタクト１３０の電位を同じにすることができる。
【００７５】
次に、コモンコンタクト１４０を保持するホルダ１４５は、電気的に絶縁性の合成樹脂から概略左右方向に細長い直方体に形成される。ホルダ１４５は、図１２に示されるように、垂直断面で、高さ（上下方向の長さ）Ｈ21、奥行（前後方向の長さ）Ｔ21を有する矩形状をなしている。
【００７６】
ホルダ１４５には、コモンコンタクト１４０の細長い本体１４１を収容するために、該ホルダ１４５の後面に、後方に向って開放し、左右方向に延在する細長い溝１４６が形成される。また、コモンコンタクト１４０の第１脚部１４２を収容するために、該細長い溝１４６から上方に延び、さらに、ホルダ１４５の上面で後方に向って延在する第１収容溝１４７が形成される。同様に、コモンコンタクト１４０の第２脚部１４３を収容するために、第１収容溝１４７に対して対をなして、該細長い溝１４６から下方に延び、さらに、ホルダ１４５の下面で後方に向って延在する第２収容溝１４８が形成される。ホルダ１４５がこのような構成を備えることから、ホルダ１４５の高さＨ21及び奥行Ｔ21が、それぞれ、コモンコンタクト１４０の高さＨ11及び奥行Ｔ11にほぼ等しい（Ｈ21≒Ｈ11、Ｔ21≒Ｔ11）ことが理解される。さらにいえば、ホルダ１４５の高さは、第１信号線用コンタクト１２０のホルダ収容凹部１２７の高さＬ4にほぼ等しい。もちろん、ホルダ１４５の左右方向の長さは、コモンコンタクト１４０の左右方向の長さにほぼ等しい。
【００７７】
次に、図９ないし１１を用いて、本実施例におけるカードエッジコネクタ１１０への第１信号線用コンタクト１２０及び第１接地用コンタクト１３０の組み込みについて簡単に説明する。
先ず、本実施例では、第１接地用コンタクト１３０が、図９に示されるように、第１スリット１１２の対応するスリット１１２Ａ内に挿入され、カードエッジコネクタ１１０の本体１１１に固定される。第１接地用コンタクト１３０は、右端（図９では左端）から２つおきに配置される接地用コンタクト１３０が収容されるべきスリット１２Ａ内に挿入される。第１接地用コンタクト１３０が全て対応するスリット１２ｂ内に挿入されると、続いて、図１０に示されるように、第１信号線用コンタクト１２０が挿入される。第１信号線用コンタクト１２０は、上記第１の実施例と同様に、対をなして第１スリット１１２のうちの対応する２つの隣接するスリット１１２Ｂ内に挿入される。第１信号線用コンタクト１２０の装着が完了すると、ホルダ１４５に取付けられたコモンコンタクト１４０がカードエッジコネクタ１１０に装着される。ホルダ１４５は、第１信号線用コンタクト１２０及び第１接地用コンタクト１３０それぞれのホルダ収容凹部１２７、１３７及び仕切り壁１２５の切欠凹部１１２ｂにより形成された左右方向に延在する収容空間内に嵌め込まれ、固定される。それにより、ホルダ１４５に保持されているコモンコンタクト１４０は、対応する複数の第１接地用コンタクト１３０に同時に接触することが可能となる。
【００７８】
このようにして、図１１に示されるように、第１信号線用コンタクト１２０及び第１接地用コンタクト１３０が、対応する第１スリット１１２Ａ、１１２Ｂ内にＧ−Ｓ−Ｓ−Ｇ配置で収容される。また、収容された第１接地用コンタクト１３０は、本実施例に係るコモンコンタクト１４０により、全て、電気的に接続された状態でカードエッジコネクタ１１０の本体１１１に設置される。
【００７９】
このように複数のコモンコンタクト４０で全ての第１接地用コンタクト３０を連結することにより、プリント配線板間をつなぐ接地用コンタクトが全て同じ電位に保持される。それにより、本実施例においても、上記第１の実施例と同じ作用効果を奏することが可能となる。
【符号の説明】
【００８０】
１０、１１０          カードエッジコネクタ（雌コネクタ）
２０、１２０          第１信号線用コンタクト
３０、１３０          第１接地用コンタクト
４０、１４０          コモンコンタクト
５０、１５０          第２信号線用コンタクト
６０、１６０          第２接地用コンタクト
７０、９０            プリント配線板
８０                  プラグコネクタ（雄コネクタ）
【図１】
2011159465.tif 000003
【図２】
2011159465.tif 000004
【図３】
2011159465.tif 000005
【図４】
2011159465.tif 000006
【図５】
2011159465.tif 000007
【図６】
2011159465.tif 000008
【図７】
2011159465.tif 000009
【図８】
2011159465.tif 000010
【図９】
2011159465.tif 000011
【図１０】
2011159465.tif 000012
【図１１】
2011159465.tif 000013
【図１２】
2011159465.tif 000014
【図１３】
2011159465.tif 000015
【図１４】
2011159465.tif 000016